(57)【特許請求の範囲】
【請求項１】
被処理水の水処理領域を収容する処理槽本体を有する水処理装置と、前記水処理装置から離間して配設された監視装置を備えた水質監視システムであって、
前記水処理装置は、前記水処理領域の水に関する水質情報及び水量情報を検出する検出部と、前記検出部によって検出された水質情報及び水量情報の両方の情報を処理槽本体外へと送信する送信部を有し、
前記監視装置は、前記送信部から送信された情報を受信する受信部と、前記受信部において受信された前記水質情報及び水量情報の両方の情報に基づいて、前記水処理領域における水処理状況に関する情報を出力する情報処理部を有し、
前記検出部は、前記水質情報として前記水処理領域の水の水質を検出する第１の検出センサと、前記水量情報として前記水処理領域に関する流入水量及び流出水量の少なくとも一方を検出する第２の検出センサを有し、
前記情報処理部は、前記送信部から送信された前記第１及び第２の検出センサによる検出値に基づいて、所定時間ごとの前記水処理領域における所定区間での区間水質値と所定時間ごとの汚泥量を導出し、
導出された前記区間水質値のうち前記所定時間ごとの汚泥量を加算して汚泥量の累積値を導出し、導出された前記汚泥量の累積値に基づいた前記処理槽本体の清掃時期に関する情報と、導出された前記区間水質値に基づいた前記水処理領域の水の水質低下に関する情報のうちの少なくとも一方を出力する構成であることを特徴とする水質監視システム。
【請求項２】
請求項１に記載の水質監視システムであって、
前記情報処理部は、前記処理槽本体の清掃時期に関する情報と、前記水処理領域の水の水質低下に関する情報の両方の情報を出力する構成であることを特徴とする水質監視システム。
【請求項３】
請求項１に記載の水質監視システムであって、
前記情報処理部は、前記処理槽本体の清掃時期に関する情報のみを出力する構成であることを特徴とする水質監視システム。
【発明の詳細な説明】
【技術分野】
【０００１】
本発明は、水処理装置において処理される被処理水の水質を監視する技術に関するものである。
【背景技術】
【０００２】
従来、一般家庭等から排出される生活排水や、産業廃水等の汚水などの被処理水を処理する水処理装置においては、水質検出センサを用いて処理水質を常時把握する構成が知られている。とりわけ、家庭の生活排水を受け入れて処理する家庭用の水処理装置にあっては、保守点検の頻度が工場などに比べて少なく、また人員比（実使用人数／人槽）によっては水処理装置に貯留させた汚泥を引く抜く清掃作業が必要となる頻度にばらつきがあることから、次回の保守点検時までの水質の変動を適正に監視する要請が高い。例えば下記特許文献１には、浄化槽において、消毒処理後の水に含まれる残留塩素を水質センサによって検出する技術が開示されている。このような技術を用いれば、水質センサによる検出情報を継続的に出力することによって、被処理水の水質変化を把握することができ、これにより水質処理が適正に遂行されているか否かを監視することが可能となる。しかしながら、水質センサによる水質情報のみを監視する本構成を採用した場合には、水質センサが設置された領域における水質低下と、浄化槽全体としての水質低下が必ずしも一致しない場合があり、例えば水質センサが水質の低下を検知しても、浄化槽内の水量によっては全体としての水質は実質的には問題ないような事態が起こり得る。従って、水質センサによる水質情報のみを監視する技術では、水処理装置における水処理状況をきめ細かく監視するのに限界がある。
【特許文献１】特開平４−２３５７９８号公報
【発明の開示】
【発明が解決しようとする課題】
【０００３】
そこで本発明は、上記の点に鑑みてなされたものであり、水処理装置における水処理状況を適正に監視するのに有効な技術を提供することを課題とする。
【課題を解決するための手段】
【０００４】
前記課題を解決するために、本発明が構成される。なお、本発明は、一般家庭等から排出される生活排水や産業廃水等の被処理水の浄化処理を行う水処理装置に対し好適に用いられる。
【０００５】
本発明にかかる水質監視システムは、水処理装置及び監視装置を少なくとも備えたシステムとして構成される。この水質監視システムにおいて、水処理装置は、被処理水の水処理領域を収容する処理槽本体を有し、検出部及び送信部を少なくとも含む構成とされる。
【０００６】
検出部は、水処理領域の水に関する水質情報及び水量情報を検出する機能を有する。この検出部は、典型的には、水処理領域の水の水質及び水量を検出する単一或いは複数のセンサ類、水の移送や流量調整を行なう機器の稼動時間を検出する装置などを用いることによって構成される。なお、ここでいう「水処理領域の水に関する水質情報」とは、水処理領域の水の水質を示唆する情報を広く包含する主旨であり、当該情報として、典型的には水処理領域を流通する水の水質、水処理領域へと流入する水の水質、水処理領域から流出する水の水質、またこれらの各水質及び水量を示す他の情報などが挙げられる。また、ここでいう「水処理領域の水に関する水量情報」として、典型的には水処理領域内を流れる水の水量、水処理領域へと流入する水の水量、水処理領域から流出する水の水量、またこれらの各水質及び水量を示す他の情報などが挙げられる。送信部は、検出部によって検出された水質情報及び水量情報の両方の情報を処理槽本体外へと送信する機能を有する。
【０００７】
監視装置は、水処理装置から離間して配設され、受信部及び情報処理部を少なくとも含む構成とされる。この監視装置は、典型的には前記構成の水処理装置を含む複数の水処理装置を監視する機能を有する。また、この監視装置は、水処理装置の施主（使用者）、水処理装置の維持管理業者（維持管理者）、水処理装置の清掃業者（清掃作業者）、これら施主、維持管理業者或いは清掃業者に対し情報を提供するべく複数の水処理装置に関する情報を集中的に管理するデータ管理センターのうちの少なくとも１つの箇所に設置される装置として構成される。ここでいう「維持管理業者」とは、水処理装置の維持管理を行なうための専門知識を有する作業者とされ、典型的には施主から管理委託を請けた管理業者とされる。施主自身が維持管理業者となる場合もある。また、ここでいう「清掃業者」とは、典型的には施主から管理委託を請けた維持管理業者を介して間接的に、或いは施主から直に請けた清掃依頼に基づいて、水処理装置に貯留させた汚泥を引く抜く作業を定期的ないし非定常で行う作業者とされる。
【０００８】
受信部は、水処理装置側の送信部から送信された情報を受信する機能を有する。情報処理部は、受信部において受信された水質情報及び水量情報の両方の情報に基づいて、水処理領域における水処理状況に関する情報を出力する機能を有する。ここでいう「水処理領域における水処理状況に関する情報」とは、水処理領域において処理される水の処理状況或いは当該水処理状況を示唆する情報を広く包含する主旨であり、当該情報として、典型的には、所定区間（所定期間）における区間水質値や区間水量値、水処理領域における汚泥量の推移、当該汚泥量の累積値、水処理領域における水質の推移などが挙げられる。当該情報は、監視装置側の情報処理部において導出されて出力されてもよいし、或いは水処理装置側の送信部において予め導出された後に監視装置側の情報処理部において出力されてもよい。この情報処理部の出力態様に関しては、水処理領域における水処理状況に関する情報を出力する態様が広く包含されるものであり、情報の演算出力のほか、当該演算結果を表示器に表示出力する態様、音声、警報等をスピーカーに音出力する態様、当該演算結果をプリンタ等に印字出力する態様、またこれらの各態様の複数を組み合わせた態様などを適宜用いることが可能である。監視装置の受信部及び情報処理部の両方がデータ管理センターないし維持管理業者に設置される場合には、更に水処理装置の施主（使用者）や清掃業者に対し処理後の情報を送信可能に構成されるのが好ましい。これにより、水処理装置の施主や清掃業者は水処理領域における水処理状況に関する適正な情報、例えば次回の点検時期や清掃時期を知ることが可能となる。
【０００９】
本発明にかかる水質監視システムのこのような構成によれば、水処理領域の水に関する水質情報及び水量情報の両方の情報に基づいて、水処理領域における水処理状況に関する情報を導出することによって、水処理装置全体にわたる水処理状況を、水処理装置から離間した監視装置において適正に把握することが可能となる。これにより、例えば水処理領域における水質低下を検知しても水処理装置全体としての実質的な水質に問題のないような場合や、水処理領域における水質低下を検知していなくても水処理装置全体としての実質的な水質に問題があるような場合に、管理者が水処理装置側に常駐していなくとも適正に対処することができ、以って水処理装置の適切な維持・管理が可能となる。
【００１０】
さらに、前記の検出部は、第１の検出センサ及び第２の検出センサを有する構成であるのが好ましく、また前記の情報処理部は、送信部から送信された第１及び第２の検出センサによる検出値に基づいて、所定時間ごとの水処理領域における所定区間での区間水質値と所定時間ごとの汚泥値を導出する構成であるのが好ましい。
第１の検出センサは、水質情報として水処理領域の水の水質を検出するセンサとして構成され、第２の検出センサは、水量情報として水処理領域に関する流入水量及び流出水量の少なくとも一方を検出するセンサとして構成される。これら第１及び第２の検出センサは、水質ないし水量を検出可能な単一の検出センサ或いは複数の検出センサによって構成され得る。
このような構成によれば、水処理領域の水の水質を検出する第１の検出センサと、水処理領域に関する流入水量及び流出水量の少なくとも一方を検出する第２の検出センサを用いることで、水処理領域における水処理状況に関する情報を監視装置にて適正に把握することが可能となる。
【００１１】
さらに、前記の情報処理部は、導出された所定時間ごとの汚泥量を加算して汚泥量の累積値を導出し、導出された汚泥量の累積値に基づいた処理槽本体の清掃時期に関する情報と、導出された区間水質値に基づいた水処理領域の水の水質低下に関する情報のうちの少なくとも一方を出力する構成であるのが好ましい。当該情報処理部は、処理槽本体の清掃時期に関する情報と、水処理領域の水の水質低下に関する情報の両方の情報を出力する構成であってもよく、処理槽本体の清掃時期に関する情報のみを出力する構成であってもよい。ここでいう「処理槽本体の清掃時期に関する情報」とは、処理槽本体の清掃時期や、その清掃時期を示唆する情報を広く包含する主旨であり、当該情報として、典型的には、清掃時期に達しているか否か、次回の清掃時期、次回の清掃時期までの猶予期間（清掃が必要とされる規定の汚泥量に対する汚泥量の積算の割合）などが挙げられる。また、ここでいう「水処理領域の水の水質低下に関する情報」とは、水処理領域の水の水質が低下したことを示す情報、当該水質低下に関連する情報を広く包含する主旨であり、当該情報として、典型的には、現在の水質が規定の水質管理基準内にある或いは水質管理基準を外れているという情報、水質低下により処理槽本体の点検が必要である或いは点検が必要でないという情報などが挙げられる。
このような構成によれば、処理槽本体の清掃時期に関する適正な情報や、水処理領域の水の水質低下に関する適正な情報が監視装置において得られることによって、定期的な巡回点検作業を無くすことができ、以って水処理装置の合理的な維持・管理が可能となる。
【発明の効果】
【００１２】
以上のように、本発明によれば、被処理水の水処理領域を収容する処理槽本体を有する水処理装置において、特に水処理領域の水に関する水質情報及び水量情報を検出し、これら水質情報及び水量情報の両方の情報に基づいて、水処理領域における水処理状況に関する情報を、水処理装置から離間して配設された監視装置にて把握する構成を採用することによって、水処理領域における水処理状況を適正に把握することができ、以って水処理装置において処理される水の水質監視の適正化を図ることが可能となった。
また、処理後の水を処理槽本体から放流していない時の水質のみを検出するような従来型の検出システムでは放流時の真の水質を監視することが難しいが、本発明によれば、処理後の水を処理槽本体から放流している放流時の水質情報を少なくとも検出することによって、放流時の真の水質を監視することが可能となった。
【発明を実施するための最良の形態】
【００１３】
以下に、本発明における一実施の形態の水処理装置の構成等を図面に基づいて説明する。なお、本実施の形態は、一般家庭等から排出される排水（被処理水）の処理を行う水処理装置について説明するものである。
【００１４】
本実施の形態の水処理装置１００及び集中監視装置１７０の概要が図１に示される。本実施の形態の水処理装置１００は、槽状に成形された水処理槽１０１を有し、この水処理槽１０１は、複数の処理槽（「水処理部」或いは「水処理機構」ともいう）を収容する躯体構造を構成する。ここでいう水処理装置１００が本発明における「水処理装置」に相当する。
【００１５】
水処理槽１０１には、典型的には処理工程の順に対応して上流（図１中の左側）から夾雑物除去槽１１０、嫌気濾床槽１２０、接触ばっ気槽１３０、沈澱槽１４０、消毒槽１５０を含む水処理領域が収容される。この水処理槽１０１には、流入管１０２を通じて被処理水が流入し、また水処理領域において処理された処理後の水は、流出管１０３を通じて水処理槽１０１から流出する構成とされる。ここでいう水処理槽１０１が本発明における「処理槽本体」に相当し、またこの水処理槽１０１内の水処理領域が本発明における「被処理水の水処理領域」を構成する。なお、本実施の形態では、各槽において処理される排水および当該排水を処理する処理過程において流れる水を「被処理水」ないし「水」と記載する。
【００１６】
夾雑物除去槽１１０は、水処理槽１０１の最上流部に配置されており、被処理水中に含まれる夾雑物を、流入バッフル（図示省略）などの固液分離手段を用いて被処理水から分離する処理を行う槽であり、被処理水の固液分離機能を果たす。この夾雑物除去槽１１０において夾雑物の除去処理がなされた後の水は、押し出し流れの原理によって、その下流に配置された嫌気濾床槽１２０へと移流する。
【００１７】
嫌気濾床槽１２０は、被処理水中の有機汚濁物質を嫌気処理（還元）する機能を有する処理槽として構成される。典型的には、有機汚濁物質を嫌気処理する嫌気性微生物が付着する所定量の濾材が嫌気濾床１２１に充填された構成を有する。この嫌気処理によってＢＯＤの低減と汚泥物の減量化が図られる。この嫌気濾床槽１２０で処理された後の水は、押し出し流れの原理によって、その下流に配置された接触ばっ気槽１３０へと移流する。
【００１８】
接触ばっ気槽１３０は、被処理水中の有機汚濁物質を好気処理（酸化）する機能を有する処理槽として構成される。典型的には、有機汚濁物質を好気処理する好気性微生物が付着する所定量の接触材が充填されるとともに、接触材１３１にブロワ（送風機）１３２から送り込まれる空気が供給される構成を有する。本構成において、接触材に付着した好気性微生物は、ブロワ１３２から送り込まれる空気中の酸素の助けによって、被処理水中の有機汚濁物質を好気処理する。また、特に図示しないものの、この接触ばっ気槽１３０で処理された水は、その一部が移送ポンプなどの移送手段によって夾雑物除去槽１１０に循環水として循環される一方、残りが下流に配置された沈殿槽１４０へと移流する構成であるのが好ましい。この場合、夾雑物除去槽１１０へと循環される循環水は、典型的には汚泥等の固形分を含む水とされる。
【００１９】
沈殿槽１４０は、接触ばっ気槽１３０から移流した水を一時的に滞留させて、水中の浮遊物質を沈殿・除去する機能を有する処理槽として構成される。この沈殿槽１４０には、水質検出センサ１４１が設置されている。この水質検出センサ１４１は、槽内を流れる水の水質情報を連続的或いは一定時間毎に検出する機能を有し、典型的には、濁度、透視度、透明度、ＳＳ（浮遊懸濁物質量）、ｐＨ、ＯＲＰ（酸化還元電位）、ＤＯ（溶存酸素）、ＢＯＤ（生物化学的酸素要求量）、紫外線（ＵＶ）吸光度、ＭＬＳＳ（活性汚泥濃度）等のうちの１または複数を検出する水質検出センサとして構成される。この水質検出センサ１４１に接続された送信部１４２は、有線式或いは無線式の通信回線を介して集中監視装置１７０のサーバ（後述するサーバ１７１）に接続されており、水質検出センサ１４１によって検出された水質情報は、連続的或いは一定時間毎に集中監視装置１７０のサーバとの間での送信が可能とされる。なお、この水質検出センサ１４１の設置数は１個でも複数個でもよく、またセンサの種類も一つに限定されない。ここでいう水質検出センサ１４１が本発明における「第１の検出センサ」に相当する。この沈殿槽１４０で処理された後の水は、押し出し流れの原理によって、その下流に配置された消毒槽１５０へと移流する。
【００２０】
集中監視装置１７０は、水処理装置１００から離間した遠隔地に配設され、水処理装置１００をはじめとする複数の水処理装置の水質管理（水質監視）を継続して集中的に行うデータ管理センターとしての機能を有する。従って、この集中監視装置１７０は、「監視装置」ないし「遠隔監視装置」とも称呼される。この集中監視装置１７０は、サーバ（データ受信器）１７１のほか、データ演算処理、データ記憶処理、データ表示処理、データ印字処理などの種々の処理機能を搭載している。集中監視装置１７０におけるこのような集中的な水質管理は、家庭用の水処理装置のように普及数が多い各水処理装置の処理情報を、集中して監視するのに特に有効である。この集中監視装置１７０は、水処理装置１００の施主（使用者）、水処理装置１００の維持管理業者（維持管理者）、水処理装置１００の清掃業者（清掃作業者）、これら施主、維持管理業者或いは清掃業者に対し情報を提供するべく複数の水処理装置に関する情報を集中的に管理するデータ管理センターのうちの少なくとも１つの箇所に設置される装置として構成され得る。ここでいう「維持管理業者」とは、水処理装置１００の維持管理を行なうための専門知識を有する作業者とされ、典型的には施主から管理委託を請けた管理業者とされる。施主自身が維持管理業者となる場合もある。また、ここでいう「清掃業者」とは、典型的には施主から管理委託を請けた維持管理業者を介して間接的に、或いは施主から直に請けた清掃依頼に基づいて、水処理装置１００に貯留させた汚泥を引く抜く作業を定期的ないし非定常で行う作業者とされる。
【００２１】
典型的には、この集中監視装置１７０が水処理装置１００の施主（使用者）や清掃業者に対し処理後の情報を送信可能に構成された監視装置であるのが好ましい。これにより、水処理装置１００の施主や清掃業者は水処理装置１００における水処理状況に関する適正な情報、例えば次回の点検時期や清掃時期に関する情報を知ることが可能となる。ここでいう集中監視装置１７０が本発明における「監視装置」に相当し、またこの集中監視装置１７０と、前記の水処理装置１００とによって構成される水質監視システムが本発明における「水質監視システム」に相当する。
【００２２】
消毒槽１５０は、沈殿槽１４０から流入した水を消毒処理する機能を有する処理槽であり、典型的には、消毒処理を行うための消毒剤（固形塩素剤）が充填された薬剤筒１５１を備えている。この薬剤筒１５１から溶出した消毒剤によって消毒処理がなされた後の水は、流出管１０３を通じて水処理槽１０１から放流される。
【００２３】
なお、上記構成の水処理装置１００において、嫌気濾床槽１２０から接触ばっ気槽１３０へと水が移流する構造に関しては、図１に示すように、仕切り部材の上部に設けられた開口を通じて押し出し流れの原理によって上流槽から下流槽へと水が流れる構造、いわゆる「押し出し型」の構造であってもよいし、或いは移流ポンプ等の流量調整手段によって流量調整しつつ上流槽から下流槽へと水を移送する構造、いわゆる「流量調整型」の構造であってもよい。この流量調整型の構造に関しては、図２が参照される。
【００２４】
図２には、別実施の形態の水処理装置２００の概要が示されている。なお、この図２において水処理装置１００の構成要素と同一の構成要素には、同一の符号を付している。図２に示すこの水処理装置２００は、嫌気濾床槽１２０から接触ばっ気槽１３０へと水が移流する構造として、移流ポンプ１２２を用い、またこの移流ポンプ１２２の制御に関連する水位計１１１を設置する以外は、水処理装置１００の基本構造と概ね同様とされる。この移流ポンプ１２２は、水中ポンプないし間欠定量ポンプ、エアリフトポンプ等からなり、水位計１１１によって検出された夾雑物除去槽１１０の水位情報に基づいて、嫌気濾床槽１２０から接触ばっ気槽１３０へと流れる水の流量を調整する機能を有する。
【００２５】
具体的には、夾雑物除去槽１１０の水位が規定水位よりも高いことが水位計１１１によって検出された場合には、移流ポンプ１２２による移送水量を相対的に増加させる制御が行なわれ、また夾雑物除去槽１１０の水位が規定水位よりも低いことが水位計１１１によって検出された場合には、移流ポンプ１２２による移送水量を相対的に減少させ或いは停止させる制御が行なわれる。この水位計１１１の種類に関しては、フロート式水位計、圧力式水位計、超音波式水位計、電磁式水位計、光式水位計等を適宜用いることが可能である。
【００２６】
ところで、図１に示す構成の水処理装置１００や、図２に示す構成の水処理装置２００においては、水処理槽１０１に貯留させた汚泥を引き抜く清掃作業や槽内の点検作業などを合理的に遂行するために、水質検出センサ１４１の検出情報に基づいて、そのときの水処理槽１０１内の水処理状況を適正に把握することが要請される。しかしながら、このような場合に、水質検出センサ１４１の検出情報のみを用いると、水質検出センサ１４１が設置された領域及びその周辺領域における局所的な水処理状況を把握することは可能であるものの、水処理装置全体としての水処理状況を把握するのに限界がある。例えば、水質検出センサ１４１の周辺領域の水質が一時的に低下しても、水処理装置から流出する流出水量が比較的少ないときには、水処理装置全体としての水質は実質的には問題ない場合があり得る。反対に、水質検出センサ１４１の周辺領域の水質が正常であっても、水処理装置から流出する流出水量が比較的多いときには、処理装置全体としての水質が問題となるような場合があり得る。とりわけ、家庭の生活排水を受け入れて処理する家庭用の水処理装置にあっては、保守点検の頻度が工場などに比べて少なく、また人員比（実使用人数／人槽）によっては水処理装置に貯留させた汚泥を引く抜く清掃作業が必要となる頻度にばらつきがあることから、次回の保守点検時までの水質の変動を適正に監視する要請が高い。従って、この種の水処理装置においては、水質検出センサ１４１のみによっては把握するのに限界がある水処理状況を適正に把握する新たな検出システムを構築する要請があった。
【００２７】
そこで、本実施の形態では、上記構成の水処理装置１００や水処理装置２００において、水処理槽１０１内の水処理状況を適正に把握し、以って水処理槽１０１の清掃作業や点検作業などを合理的に遂行することを可能とする検出システムを採用している。この検出システムは、水質に関する情報を検出する水質情報検出機構である水質検出センサ１４１に加えて、更に水処理装置内の流通水量、水処理槽１０１へと流入する流入水量、水処理槽１０１から流出する流出水量等の水量情報検出機構を兼ね備えた検出システムとして構成される。以下、当該検出システムに関し詳細に説明する。
【００２８】
本実施の形態では、図１に示すような押し出し型の水処理装置１００においては、水質検出センサ１４１によって水質情報検出機構を構成するとともに、第１の流量計１０４及び第２の流量計１０５の少なくとも一方によって水量情報検出機構を構成するのが好ましい。ここでいう水質情報検出機構を構成する水質検出センサ１４１、及び水量情報検出機構を構成する第１の流量計１０４や第２の流量計１０５によって、本発明における「検出部」が構成され、また第１の流量計１０４や第２の流量計１０５が本発明における「第２の検出センサ」に相当する。
【００２９】
第１の流量計１０４は、流入管１０２を通じて水処理槽１０１内へと流入する水の流入水量を検出する機能を有し、またこの第１の流量計１０４には、送信部１０４ａが接続されている。一方、第２の流量計１０５は、流出管１０３を通じて水処理槽１０１外へと放流する水の流出水量を検出する機能を有し、またこの第２の流量計１０５には、送信部１０５ａが接続されている。このような構成において、流量計１０４，１０５によって検出された情報は、送信部１０４ａ，１０５ａを介して集中監視装置１７０のサーバ１７１へと送信される。同様に、水質検出センサ１４１によって検出された情報は、送信部１４１ａを介して集中監視装置１７０のサーバ１７１へと送信される。これら送信部１０４ａ，１０５ａ，１４１ａによって、本発明における「送信部」が構成される。なお、水質検出センサ１４１によって検出された情報に基づいて水質が導出される一方、流量計１０４，１０５によって検出された情報に基づいて流入水量或いは流出水量が導出される。これらの導出処理は、集中監視装置１７０のサーバ１７１への送信前に、流量計１０４，１０５側や水質検出センサ１４１側において遂行されてもよいし、或いは集中監視装置１７０のサーバ１７１への送信後に集中監視装置１７０側において遂行されてもよい。
【００３０】
かくして、集中監視装置１７０側のデータ管理者や、集中監視装置１７０側からの情報を受信した、水処理装置１００の施主（使用者）、維持管理業者、清掃業者は、水処理装置１００の水処理槽１０１における水処理状況として、沈殿槽１４０の水質検出センサ１４１によって検出された水質情報や、水処理槽１０１内へと流入する水の流入水量、或いは水処理槽１０１外へと流出する水の流出水量としての水量情報、更にはこれら水質情報及び水量情報の両方の情報から導出される清掃時期に関する情報や水質低下に関する情報を少なくとも把握することが可能となる。なお、水処理槽１０１内へと流入する水の流入水量を検出する水量情報検出機構に関しては、流入管１０２に設置された流量計１０４に代えて或いは加えて、水道管に設置された出力付水道メータを採用することもできる。
【００３１】
また、本実施の形態では、図２に示すような流量調整型の水処理装置２００においては、夾雑物除去槽１１０の水位計１１１によって、前記の水量情報検出機構を構成するのが好ましい。水量情報検出機構を構成するこの水位計１１１、及び水質情報検出機構を構成する前記の水質検出センサ１４１によって、本発明における「検出部」が構成され、また水位計１１１が本発明における「第２の検出センサ」に相当する。
【００３２】
水位計１１１は、夾雑物除去槽１１０の水位を連続的或いは一定時間毎に検出する機能を有し、またこの水位計１１１には、送信部１１１ａが接続されている。このような構成において、水位計１１１によって検出された水位情報は、送信部１１１ａを介して連続的或いは一定時間毎に集中監視装置１７０のサーバ１７１へと送信される。同様に、水質検出センサ１４１によって検出された情報は、送信部１４１ａを介して集中監視装置１７０のサーバ１７１へと送信される。これら送信部１１１ａ，１４１ａによって、本発明における「送信部」が構成される。なお、水質検出センサ１４１によって検出された情報に基づいて水質が導出される一方、水位計１１１によって検出された情報に基づいて流出水量が導出される。例えば、夾雑物除去槽１１０の水位が予め規定された規定水位を上回るときにオン信号が出力され、当該規定水位を下回るときにオフ信号が出力される構成の水位計１１１の場合、オン信号とオフ信号とが切り替わる時間から流出水量の導出が可能となる。これらの導出処理は、集中監視装置１７０のサーバ１７１へと送信される前に、水位計１１１側や水質検出センサ１４１側において遂行されてもよいし、或いは集中監視装置１７０のサーバ１７１へと送信された後に集中監視装置１７０側において遂行されてもよい。
【００３３】
かくして、集中監視装置１７０側のデータ管理者や、集中監視装置１７０側からの情報を受信した、水処理装置２００の施主（使用者）、維持管理業者、清掃業者は、水処理装置２００の水処理槽１０１における水処理状況として、沈殿槽１４０の水質検出センサ１４１によって検出された水質情報や、夾雑物除去槽１１０の水位計１１１によって検出された水量情報、更にはこれら水質情報及び水量情報の両方の情報から導出される清掃時期に関する情報や水質低下に関する情報を少なくとも把握することが可能となる。
【００３４】
図２に示す流量調整型の上記水処理装置２００においては、夾雑物除去槽１１０に水位計１１１を設置する場合について記載したが、この水位計１１１の設置箇所に関しては、移流ポンプ１２２よりも上流側の処理領域、すなわち水位変動を伴う領域を適宜選択することができる。例えば、移流ポンプ１２２よりも上流側の処理領域に図２に示すような夾雑物除去槽１１０を含む構成の場合には、当該上流側の処理領域のうち夾雑物除去槽１１０或いは夾雑物除去槽１１０以外の領域に水位計１１１を設置することが可能であり、また移流ポンプ１２２よりも上流側の処理領域に夾雑物除去槽１１０のような処理槽が含まれない構成の場合には、当該上流側の処理領域のうちの任意の処理領域（例えば、嫌気濾床槽の第１室）に水位計１１１を設置することが可能である。
【００３５】
なお、上記の水処理装置１００及び水処理装置２００における水質監視システムでは、水処理槽１０１における水の水質情報を検出する水質検出センサ１４１に加えて、更に水処理槽１０１に関する水量情報を検出する水量情報検出機構を搭載することによって、典型的には図３に示すようなデータ処理システムを構築することが可能である。図３には、本実施の形態のデータ処理システムの概要が示されている。
【００３６】
図３に示すように、水処理槽１０１のセンサやメータ類にて検出され、各送信部から集中監視装置１７０のサーバ１７１へと送信された情報は、この集中監視装置１７０においてデータ処理部１７２及びデータ出力部１７３によって順次処理される。ここでいうサーバ１７１が本発明における「受信部」に相当し、またここでいうデータ処理部１７２及びデータ出力部１７３によって本発明における「情報処理部」が構成される。
【００３７】
データ処理部１７２では、水処理槽１０１における水の水質情報及び水量情報の両方の情報に基づいて、所定時間内における区間水質値や区間水量値、水処理槽１０１における汚泥量の推移、当該汚泥量の累積値、水処理領域における水質の推移等、水処理槽１０１内の水処理状況に関する各種の情報が導出される。更に、このデータ処理部１７２では、水処理槽１０１の清掃時期に関する情報や、水処理槽１０１の水の水質低下に関する情報などが導出される。ここでいう「水処理槽１０１の清掃時期に関する情報」には、清掃時期に達しているか否か、次回の清掃時期、次回の清掃時期までの猶予期間（清掃が必要とされる規定の汚泥量に対する汚泥量の積算の割合）などが広く包含される。また、ここでいう「水処理槽１０１の水の水質低下に関する情報」には、現在の水質が規定の水質管理基準内にある或いは水質管理基準を外れているという情報、水質低下により水処理槽１０１の点検が必要である或いは点検が必要でないという情報などが広く包含される。
【００３８】
データ出力部１７３では、データ処理部１７２において処理された後の処理結果がデータ管理者、施主、維持管理業者、清掃業者等に対し提示（出力）される。このデータ出力部１７３による情報の出力態様に関しては、文字、数字、図柄、色などを表示器に表示出力する態様、音声、警報等をスピーカーに音出力する態様などを適宜用いることが可能である。また、当該情報は、集中監視装置１７０側のデータ出力部１７３において出力される本態様の他に、例えば水処理槽１０１ないしその周辺において現場出力されてもよい。このような構成によれば、そのときの水処理槽１０１内の水処理状況を適正に把握することができ、これにより最適な清掃時期を施主、維持管理業者、清掃業者等に報知することが可能となる。特に、清掃時期に関する情報等を施主に報知することによって、施主の節水意識、水の使用方法や排水方法に対する意識を高めるのに効果的である。
【００３９】
なお、上記水処理装置１００や水処理装置２００とは別の構成の水処理装置において、水質情報検出機構及び水量情報検出機構を兼ね備えた検出システムを構築することが可能である。当該検出システムに関しては、図４及び図５等が参照される。これら図４及び図５には、別実施の形態の水処理装置の概要が示される。なお、これら図４及び図５において図１中に示す構成要素と同一の構成要素には同一の符号を付している。
【００４０】
図４に示す水処理装置３００は、図１に示す押し出し型の水処理装置１００において、消毒槽１５０の下流に更に放流ポンプ槽１６０を備える水処理装置として構成される。この水処理装置３００に設けられた放流ポンプ槽１６０は、放流ポンプ１６１を収容する構成とされる。放流ポンプ１６１は、水中ポンプないし間欠定量ポンプ、エアリフトポンプ等からなり、消毒槽１５０において消毒処理がなされた後の水を放流する機能を有するポンプとして構成される。この放流ポンプ１６１は、送信部１６１ａを介して前記の集中監視装置１７０に有線接続ないし無線接続されており、水量情報としての、放流ポンプ１６１のポンプ稼動時間を検出する水量情報検出機構を搭載している。水量情報検出機構を構成するこの放流ポンプ１６１、及び水質情報検出機構を構成する前記の水質検出センサ１４１によって、本発明における「検出部」が構成され、また放流ポンプ１６１ないしそのポンプ稼動時間の検出機構が本発明における「第２の検出センサ」に相当する。なお、放流ポンプ１６１のポンプ稼動時間を検出するこの水量情報検出機構は、図２に示すような流量調整型の水処理装置２００においても同様に採用することも可能である。
【００４１】
放流ポンプ１６１の水量情報検出機構により連続的或いは一定時間毎に検出されたポンプ稼動時間に関する情報は、送信部１６１ａを介して連続的或いは一定時間毎に集中監視装置１７０のサーバ１７１へと送信される。同様に、水質検出センサ１４１によって検出された情報は、送信部１４１ａを介して集中監視装置１７０のサーバ１７１へと送信される。これら送信部１６１ａ，１４１ａによって、本発明における「送信部」が構成される。なお、水質検出センサ１４１によって検出された情報に基づいて水質が導出される一方、放流ポンプ１６１の水量情報検出機構によって検出された情報に基づいて流出水量が導出される。例えば、所定期間内の放流ポンプ１６１のポンプ稼動時間と放流ポンプ１６１の吐出流量との積によって所定期間内の流出水量の導出が可能となる。これらの導出処理は、集中監視装置１７０のサーバ１７１へと送信される前に、放流ポンプ１６１側において遂行されてもよいし、或いは集中監視装置１７０のサーバ１７１へと送信された後に集中監視装置１７０側において遂行されてもよい。
【００４２】
かくして、集中監視装置１７０側のデータ管理者や、集中監視装置１７０側からの情報を受信した、水処理装置１００の施主、維持管理業者、清掃業者は、水処理装置３００の水処理槽１０１における水処理状況として、沈殿槽１４０の水質検出センサ１４１によって検出された水質情報や、放流ポンプ槽１６０の放流ポンプ１６１によって検出された水量情報、更にはこれら水質情報及び水量情報の両方の情報から導出される清掃時期に関する情報や水質低下に関する情報を少なくとも把握することが可能となる。
【００４３】
また、図５に示す水処理装置４００は、図４に示す押し出し型の水処理装置３００において、放流ポンプ１６１の放流配管（吐出配管）に流量計１６２を備える。この流量計１６２は、送信部１６１ａを介して前記の集中監視装置１７０に有線接続ないし無線接続されており、放流ポンプ１６１から放流される水の流量に基づいて、水処理槽１０１からの流出水量を検出する水量情報検出機構を搭載している。水量情報検出機構を構成するこの流量計１６２、及び水質情報検出機構を構成する前記の水質検出センサ１４１によって、本発明における「検出部」が構成され、また流量計１６２が本発明における「第２の検出センサ」が相当する。なお、水処理槽１０１からの流出水量を検出するこの流量計１６２は、図２に示すような流量調整型の水処理装置２００においても同様に採用することも可能である。
【００４４】
流量計１６２の水量情報検出機構により連続的或いは一定時間毎に検出された情報は、送信部１６２ａを介して連続的或いは一定時間毎に集中監視装置１７０のサーバ１７１へと送信される。同様に、水質検出センサ１４１によって検出された情報は、送信部１４１ａを介して集中監視装置１７０のサーバ１７１へと送信される。これら送信部１６２ａ，１４１ａによって、本発明における「送信部」が構成される。なお、水質検出センサ１４１によって検出された情報に基づいて水質が導出される一方、流量計１６２によって検出された情報に基づいて流出水量が導出される。これらの導出処理は、集中監視装置１７０のサーバ１７１へと送信される前に、流量計１６２側において遂行されてもよいし、或いは集中監視装置１７０のサーバ１７１へと送信された後に集中監視装置１７０側において遂行されてもよい。
【００４５】
かくして、集中監視装置１７０側のデータ管理者や、集中監視装置１７０側からの情報を受信した、水処理装置１００の施主、維持管理業者、清掃業者は、水処理装置４００の水処理槽１０１における水処理状況として、沈殿槽１４０の水質検出センサ１４１によって検出された水質情報や、放流ポンプ槽１６０の放流ポンプ１６１の放流配管に配設された流量計１６２によって検出された水量情報、更にはこれら水質情報及び水量情報の両方の情報から導出される清掃時期に関する情報や水質低下に関する情報を少なくとも把握することが可能となる。
【００４６】
ここで、上記水処理装置１００〜４００に関連して設置される集中監視装置１７０のデータ処理部１７２において遂行されるデータ処理に関する具体例を、以下に第１〜第４のデータ処理態様として説明する。
【００４７】
（第１のデータ処理態様）
第１のデータ処理態様は、濁度センサからなる前記の水質検出センサ１４１を水質情報検出機構として用い、また前記の流量計１０４，１０５、水位計１１１、放流ポンプ１６１、流量計１６２及び出力付水道メータのうちの少なくとも１つを水量情報検出機構として用いる際のデータ処理態様とされる。このとき、濁度センサによる検出値Ａ（検出値が大きいほど水の濁りの度合いが大きいと規定する）の経時変化をＡ１，Ａ２，Ａ３…とし、水処理槽１０１に関する水量（流入水量ないし流出水量）の検出値Ｂ（検出値が大きいほど水量が多いと規定する）の経時変化をＢ１，Ｂ２，Ｂ３…とした場合には、検出値Ａが大きくなるほどに沈殿槽１４０の濁度（水処理状況）が低下すると判定することができ、水処理槽１０１における所定区間（所定期間）における区間水質値Ｑ１を、{（１／Ａ１×Ｂ１）＋（１／Ａ２×Ｂ２）＋（１／Ａ３×Ｂ３）＋…}／（Ｂ１＋Ｂ２＋Ｂ３…）として算出することが可能である。この場合の（１／Ａ×Ｂ）は必要に応じて予め濃度換算されてもよい。典型的には、この区間水質値Ｑ１として１日あたりの平均的な濁度を算出し、当該算出値を管理することが可能である。ここでいう区間水質値Ｑ１が本発明における「水処理領域における所定区間での区間水質値」に相当する。
【００４８】
この際、水処理槽１０１における区間水質値Ｑ１に基づいて、当該区間水質値Ｑ１が予め規定された水質基準値（しきい値）を所定区間にわたって定常的に上回る場合には、水質検出センサ１４１の検出値が管理値よりも高い場合であっても、沈殿槽１４０の濁度は実際には悪化しておらず現段階では点検作業は必要ないと判断することが可能である。一方、当該区間水質値Ｑ１が予め規定された水質基準値を所定区間にわたって定常的に下回る場合には、水質検出センサ１４１の検出値が管理値よりも低い場合であっても、沈殿槽１４０の濁度は実際には悪化しており速やかな点検作業が必要であると判断することが可能である。
【００４９】
（第２のデータ処理態様）
第２のデータ処理態様は、透視度センサまたは透明度センサからなる前記の水質検出センサ１４１を水質情報検出機構として用い、また前記の流量計１０４，１０５、水位計１１１、放流ポンプ１６１、流量計１６２及び出力付水道メータのうちの少なくとも１つを水量情報検出機構として用いる際のデータ処理態様とされる。このとき、透視度センサまたは透明度センサによる検出値Ａ（検出値が大きいほど水の透視度または透明度が大きいと規定する）の経時変化をＡ１，Ａ２，Ａ３…とし、水処理槽１０１に関する水量（流入水量ないし流出水量）の検出値Ｂ（検出値が大きいほど水量が多いと規定する）の経時変化をＢ１，Ｂ２，Ｂ３…とした場合には、検出値Ａが小さくなるほどに沈殿槽１４０の透視度或いは透明度（水処理状況）が低下すると判定することができ、水処理槽１０１における所定区間における区間水質値Ｑ２を、（Ａ１×Ｂ１＋Ａ２×Ｂ２＋Ａ３×Ｂ３＋…）／（Ｂ１＋Ｂ２＋Ｂ３…）として算出することが可能である。この場合の（Ａ×Ｂ）は必要に応じて予め濃度換算されてもよい。典型的には、この区間水質値Ｑ２として１日あたりの平均的透視度或いは透明度を算出し、当該算出値を管理することが可能である。ここでいう区間水質値Ｑ２が本発明における「水処理領域における所定区間での区間水質値」に相当する。
【００５０】
この際、水処理槽１０１における区間水質値Ｑ２に基づいて、当該区間水質値Ｑ２が予め規定された水質基準値を所定区間にわたって定常的に上回る場合には、水質検出センサ１４１の検出値が管理値よりも低い場合であっても、沈殿槽１４０の透視度或いは透明度は実際には低下しておらず現段階では点検作業は必要ないと判断することが可能である。一方、当該区間水質値Ｑ２が予め規定された水質基準値を所定区間にわたって定常的に下回る場合には、水質検出センサ１４１の検出値が管理値よりも高い場合であっても、沈殿槽１４０の透視度或いは透明度は実際には低下しており速やかな点検作業が必要である判断することが可能である。当該判断に至る具体的な処理に関しては、図６が参照される。この図６には、水質に関する検出値Ａと水量に関する検出値Ｂとから算出された区間水質値Ｑ２に基づいて水処理状況を判断する過程を説明する図が示される。
【００５１】
図６に示すように、水質に関する検出値Ａと水量に関する検出値Ｂとから区間水質値Ｑ２を算出し、この区間水質値Ｑ２と水質基準値との比較によって、沈殿槽１４０の透視度或いは透明度が低下しているか否かを判断することができる。このようなデータ処理によれば、例えば時間ｔ４において、水質検出センサ１４１によって検出された検出値が極端に上昇した場合であっても、区間水質値Ｑ２が全区間において水質基準値を下回っていることから、この時間ｔ４においても沈殿槽１４０の透視度或いは透明度は問題ないという適正な判断を行なうことが可能となる。かくして、水質検出センサ１４１による検出値のみによって、点検作業を行なうという事態が回避されるため合理的である。
【００５２】
（第３のデータ処理態様）
第３のデータ処理態様は、ｐＨセンサまたはＯＲＰセンサからなる前記の水質検出センサ１４１を水質情報検出機構として用い、また前記の流量計１０４，１０５、水位計１１１、放流ポンプ１６１、流量計１６２及び出力付水道メータのうちの少なくとも１つを水量情報検出機構として用いる際のデータ処理態様とされる。このとき、ｐＨセンサまたはＯＲＰセンサによる検出値Ａの経時変化をＡ１，Ａ２，Ａ３…とし、水処理槽１０１に関する水量（流入水量ないし流出水量）の検出値Ｂ（検出値が大きいほど水量が多いと規定する）の経時変化をＢ１，Ｂ２，Ｂ３…とした場合、検出値Ａと規定値Ａ’との差である｜Ａ−Ａ’｜が大きくなるほどに水処理状況が悪化すると判定することができ、水処理槽１０１における所定区間における区間水質値Ｑ３を、{（１／｜Ａ１−Ａ’｜×Ｂ１）＋（１／｜Ａ２−Ａ’｜×Ｂ２）＋（１／｜Ａ３−Ａ’｜×Ｂ３）＋…}／（Ｂ１＋Ｂ２＋Ｂ３…）として算出することが可能である。この場合の（１／｜Ａ−Ａ’｜×Ｂ）は必要に応じて予め濃度換算されてもよい。典型的には、この区間水質値Ｑ３として１日あたりの平均的なｐＨまたはＯＲＰを算出し、当該算出値を管理することが可能である。ここでいう区間水質値Ｑ３が本発明における「水処理領域における所定区間での区間水質値」に相当する。
【００５３】
この際、水処理槽１０１における区間水質値Ｑ３に基づいて、当該区間水質値Ｑ３が予め規定された水質基準値を所定区間にわたって定常的に上回る場合には、水質検出センサ１４１の検出値が管理値よりも高い場合であっても、沈殿槽１４０のｐＨ或いはＯＲＰは実際には悪化しておらず現段階での点検作業は必要ないと判断することが可能である。一方、当該区間水質値Ｑ３が予め規定された水質基準値を所定区間にわたって定常的に下回る場合には、水質検出センサ１４１の検出値が管理値よりも低い場合であっても、沈殿槽１４０のｐＨ或いはＯＲＰは実際には悪化しており速やかな点検作業が必要であると判断することが可能である。
【００５４】
（第４のデータ処理態様）
第４のデータ処理態様は、前記の第１〜第３のデータ処理態様の各データ処理態様において算出した区間水質値に基づいて、清掃時期を判断するデータ処理態様とされる。この第４のデータ処理態様では、水処理槽１０１における水処理状況が定常的に悪化している場合には、汚泥貯留限界をこえて水質低下がみられるとして、区間水質値Ｑ１〜Ｑ３と予め設定された区間水質基準値（しきい値）との照合によって、水処理槽１０１内の清掃時期を判断することが可能である。
【００５５】
具体的には、算出した前記の区間水質値Ｑ１が清掃基準値Ｑ１’を定常的に上回る場合には、水処理槽１０１内の清掃時期に達していると判定することができ、当該区間水質値Ｑ１が清掃基準値Ｑ１’を定常的に下回る場合には、水処理槽１０１内の清掃時期に達していないと判定することができる。また、算出した前記の区間水質値Ｑ２が清掃基準値Ｑ２’を定常的に上回る場合には、水処理槽１０１内の清掃時期に達していないと判定することができ、当該区間水質値Ｑ２が清掃基準値Ｑ２’を定常的に下回る場合には、水処理槽１０１内の清掃時期に達していると判定することができる。また、算出した前記の区間水質値Ｑ３が清掃基準値Ｑ３’を定常的に上回る場合には、水処理槽１０１内の清掃時期に達していると判定することができ、当該区間水質値Ｑ３が清掃基準値Ｑ３’を定常的に下回る場合には、水処理槽１０１内の清掃時期に達していないと判定することができる。
【００５６】
（第５のデータ処理態様）
第５のデータ処理態様は、前記の第１〜第３のデータ処理態様の各データ処理態様において算出した区間水質値を加算して累積値を算出することによって、清掃時期を判断するデータ処理態様とされる。典型的には、当該累積値が予め設定された清掃時期基準値（しきい値）になったときを水処理槽１０１内の清掃時期とすることが可能である。また、前記の流量計１０４，１０５、水位計１１１、放流ポンプ１６１、流量計１６２及び出力付水道メータのうちの少なくとも１つの水量情報検出機構によって検出した水量値を加算した累積値に基づいて、水処理槽１０１内の清掃時期を判断することもできる。この第５のデータ処理態様の具体例に関しては、図７が参照される。この図７には、水質に関する検出値Ａと水量に関する検出値Ｂとから算出された汚泥量の累積値に基づいて清掃時期を判断する過程を説明する図が示される。
【００５７】
図７に示すように、水質に関する検出値Ａと、水量に関する検出値Ｂに更に時間データを組み合わせることによって、例えば沈殿槽１４０における汚泥量の累積値が算出される。この累積値が予め設定された清掃時期基準値に達したとき、すなわち図７では時間ｔ６のタイミングが清掃時期とされ、実際に清掃作業が実行される。清掃作業の実行後は、汚泥量の累積値がリセットされ、次回の清掃作業に向けて時間ｔ７から新たな汚泥量が累積される。このようなデータ処理を採用することによって、清掃作業が実際に必要あるか否かに関わらず実施される定期的な清掃作業を、実際の水処理状況に見合った適正な清掃作業へと移行させることができるため、清掃作業の過不足を防止するのに効果的である。また、実態に即した清掃頻度となることから、水処理装置の施主の費用負担も適正なものとなる。
【００５８】
以上のように、本実施の形態によれば、水処理槽１０１内の水処理領域の水に関する水質情報及び水量情報の両方の情報に基づいて、当該水処理領域における水処理状況に関する情報を導出することによって、水処理装置全体にわたる水処理状況を、維持管理業者が水処理装置側に常駐していなくとも監視装置１７０において適正に把握することが可能となる。これにより、維持管理業者が不必要に巡回点検を行なう必要がなくなり、また維持管理業者が不必要に巡回点検に基づいて清掃時期を判断する必要がなくなるとともに、以って水処理装置の適切な維持管理が可能となる。
また、本実施の形態によれば、処理後の水を処理槽１０１から放流している放流時の水質情報を少なくとも検出するため、処理後の水を処理槽から放流していない時の水質のみを検出するような従来型の検出システムに比して、放流時の真の水質を監視することが可能となった。
【００５９】
なお、上記各実施の形態や変更例の記載に鑑みた場合、本発明では以下のような構成を採り得る。すなわち、本発明では、「被処理水の水処理領域を収容する処理槽本体を有する水処理装置であって、前記水処理領域の水に関する水質情報及び水量情報を検出する検出部と、前記検出部によって検出された水質情報及び水量情報の両方の情報を処理槽本体外の監視装置へと送信する送信部を有することを特徴とする水処理装置。」という構成が想到される。このような構成によれば、水処理領域の水に関する水質情報及び水量情報の両方の情報に基づいて、水処理領域における水処理状況に関する情報を導出することによって、水処理装置全体にわたる水処理状況を処理槽本体外の監視装置において適正に把握することが可能となる。
【００６０】
〔他の実施の形態〕
なお、本発明は上記の実施の形態のみに限定されるものではなく、種々の応用や変形が考えられる。例えば、上記実施の形態を応用した次の各形態を実施することもできる。
【００６１】
上記実施の形態では、流量計による流量検出値、水位計による水位検出値、放流ポンプの稼動時間の検出値に基づいて、水量情報を導出する場合について記載したが、本発明では、水量情報を導出するに際し、各部位の流量や水位を検出する単一或いは複数のセンサ類をはじめ、水の移送や流量調整を行なう機器の稼動時間を検出する構成を適宜採用することが可能である。
【００６２】
また、上記実施の形態の水質監視システムに関し、本発明では、施主から管理委託を請けた維持管理業者が集中監視装置１７０においてデータ管理（データ監視）を行い、その結果に基づいて清掃業者に清掃依頼を行なう第１の形態や、施主から直接的に管理委託を請けた清掃業者が集中監視装置１７０においてデータ管理（データ監視）を行い、その結果に基づいて清掃作業を行なう第２の形態を採用することが可能である。第２の形態を採用した場合には、実際に清掃作業に至るまでの時間を短縮するのに有効とされる。
【００６３】
また、上記実施の形態では、家庭用の水処理装置について記載したが、本発明は、家庭用の水処理装置のみならず、工場などに設置される各種の水処理装置に対しても同様に適用可能な技術である。
【図面の簡単な説明】
【００６４】
【図１】本実施の形態の水処理装置１００及び集中監視装置１７０の概要を示す図である。
【図２】別実施の形態の水処理装置２００の概要を示す図である。
【図３】本実施の形態のデータ処理システムの概要を示す図である。
【図４】別実施の形態の水処理装置３００の概要を示す図である。
【図５】別実施の形態の水処理装置４００の概要を示す図である。
【図６】水質に関する検出値Ａと水量に関する検出値Ｂとから算出された区間水質値Ｑ２に基づいて水処理状況を判断する過程を説明する図である。
【図７】水質に関する検出値Ａと水量に関する検出値Ｂとから算出された汚泥量の累積値に基づいて清掃時期を判断する過程を説明する図である。
【符号の説明】
【００６５】
１００，２００，３００，４００…水処理装置
１０１…処理槽本体
１０２…流入管
１０３…流出管
１０４…第１の流量計
１０４ａ，１０５ａ，１１１ａ，１６１ａ，１６２ａ…送信部
１０５…第２の流量計
１１０…夾雑物除去槽
１１１…水位計
１２０…嫌気濾床槽
１２１…嫌気濾床
１２２…移流ポンプ
１３０…接触ばっ気槽
１３１…接触材
１３２…ブロワ
１４０…沈澱槽
１４１…水質検出センサ
１５０…消毒槽
１５１…薬剤筒
１６０…放流ポンプ槽
１６１…放流ポンプ
１６２…流量計
１７０…集中監視装置
１７１…サーバ（データ受信器）
１７２…データ処理部
１７３…データ出力部
【図１】
0005042805.tif 000002
【図２】
0005042805.tif 000003
【図３】
0005042805.tif 000004
【図４】
0005042805.tif 000005
【図５】
0005042805.tif 000006
【図６】
0005042805.tif 000007
【図７】
0005042805.tif 000008